(57)【特許請求の範囲】
【請求項１】
吸熱した際に反応媒体が脱離する脱離反応によって蓄熱するとともに、気相の反応媒体が固定化される固定化反応によって放熱する化学蓄熱材（２２）と、
前記化学蓄熱材を内部に収容する反応容器（２１）と、
内部で液相の反応媒体を蒸発させて前記気相の反応媒体にする蒸発容器（３１）と、
前記反応容器の内部での前記固定化反応に伴って前記蒸発容器の内部で生成して前記反応容器の内部へ供給される前記気相の反応媒体の供給量を調節する供給量調節手段（１２）と、
前記蒸発容器の内部での前記反応媒体の蒸発に伴って生じる蒸発潜熱により冷却対象流体を冷却する冷却手段（３２）と、
前記蒸発容器の内部における前記反応媒体の蒸発環境状態に関連する物理量を検出する物理量検出手段（３５）と、
前記供給量調節手段を制御する制御手段（１００）と、を備え、
前記制御手段は、前記物理量検出手段が検出する前記物理量に応じて前記供給量調節手段を制御し、前記冷却手段による前記冷却対象流体の冷却性能を調節するものであり、
前記蒸発容器の内部の液面の位置である液位（ＷＬ）を調節する液位調節手段（４１）を備え、
前記冷却手段は、前記蒸発容器の内部空間と前記冷却対象流体の流通通路とを隔絶するように設けられて、前記蒸発潜熱を前記冷却対象流体と前記蒸発容器の内部の前記反応媒体との間で熱交換する熱交換部材（３２）を有し、
前記液位調節手段は、前記熱交換部材の最下部（３２ａ）に対応する第１高さ位置（Ｈ１）よりも高く、かつ、前記第１高さ位置よりも所定寸法高い第２高さ位置（Ｈ２）よりも低くなるように、前記液位を調節するものであり、
前記第２高さ位置は、前記蒸発容器の内部で前記反応媒体が蒸発する際の前記液面からの液はね高さ寸法（ＨＳ）に応じて設定されることを特徴とする冷却装置。
【請求項２】
前記液位調節手段は、前記蒸発容器の内部へ供給する前記液相の反応媒体の量を調節して、前記液位を調節する供給液量調節手段（４１）であることを特徴とする請求項１に記載の冷却装置。
【請求項３】
吸熱した際に反応媒体が脱離する脱離反応によって蓄熱するとともに、気相の反応媒体が固定化される固定化反応によって放熱する化学蓄熱材（２２）と、
前記化学蓄熱材を内部に収容する反応容器（２１）と、
内部で液相の反応媒体を蒸発させて前記気相の反応媒体にする蒸発容器（３１）と、
前記反応容器の内部での前記固定化反応に伴って前記蒸発容器の内部で生成して前記反応容器の内部へ供給される前記気相の反応媒体の供給量を調節する供給量調節手段（１２）と、
前記蒸発容器の内部での前記反応媒体の蒸発に伴って生じる蒸発潜熱により冷却対象流体を冷却する冷却手段（３２）と、
前記蒸発容器の内部における前記反応媒体の蒸発環境状態に関連する物理量を検出する物理量検出手段（３５）と、
前記供給量調節手段を制御する制御手段（１００）と、を備え、
前記制御手段は、前記物理量検出手段が検出する前記物理量に応じて前記供給量調節手段を制御し、前記冷却手段による前記冷却対象流体の冷却性能を調節するものであり、
前記蒸発容器の内部の液面の位置である液位（ＷＬ）を調節する液位調節手段（４１）を備え、
前記冷却手段は、前記蒸発容器の内部空間と前記冷却対象流体の流通通路とを隔絶するように設けられて、前記蒸発潜熱を前記冷却対象流体と前記蒸発容器の内部の前記反応媒体との間で熱交換する熱交換部材（３２）を有し、
前記液位調節手段は、前記熱交換部材の最下部（３２ａ）に対応する第１高さ位置（Ｈ１）よりも高く、かつ、前記第１高さ位置よりも所定寸法高い第２高さ位置（Ｈ２）よりも低くなるように、前記液位を調節するものであり、
前記液位調節手段は、前記蒸発容器の内部へ供給する前記液相の反応媒体の量を調節して、前記液位を調節する供給液量調節手段（４１）であることを特徴とする冷却装置。
【請求項４】
前記物理量検出手段は、前記蒸発容器の内部の圧力を検出する圧力検出手段（３５）であることを特徴とする請求項１から請求項３のいずれか１つに記載の冷却装置。
【請求項５】
前記圧力検出手段は、前記蒸発容器の内部の前記気相の反応媒体の圧力を検出することを特徴とする請求項４に記載の冷却装置。
【請求項６】
前記反応媒体は水であり、
前記蒸発容器の内部では、液相の水が蒸発して水蒸気となることを特徴とする請求項１から請求項５のいずれか１つに記載の冷却装置。
【請求項７】
前記冷却対象流体は、車両の室内へ吹き出す空調空気であることを特徴とする請求項１から請求項６のいずれか１つに記載の冷却装置。
【発明の詳細な説明】
【技術分野】
【０００１】
本発明は、反応容器内での化学蓄熱材への反応媒体の固定化反応に伴い蒸発容器内で生じる反応媒体の蒸発潜熱によって冷却対象流体を冷却する冷却装置に関する。
【背景技術】
【０００２】
従来技術として、例えば下記特許文献１に開示された冷却機能を備える車両用化学蓄熱システムがある。このシステムでは、蒸発容器内から供給される水蒸気により反応容器内の化学蓄熱材が水和反応した際に放熱するようになっている。また、蒸発容器内での水蒸気の生成に伴って生じた蒸発潜熱によって冷媒を冷却し、冷房の熱源として利用可能となっている。
【先行技術文献】
【特許文献】
【０００３】
【特許文献１】特開２０１３−１１２３１０号公報
【発明の概要】
【発明が解決しようとする課題】
【０００４】
上記従来技術のシステムでは、蒸発容器内での反応媒体である水の蒸発に伴って生じた蒸発潜熱によって冷却対象流体である冷媒を冷却可能ではある。しかしながら、冷却性能の調節制御を行なうものではないため、安定した冷却性能が得難いという問題がある。
【０００５】
本発明は、上記点に鑑みてなされたものであり、蒸発容器内での反応媒体の蒸発に伴って生じた蒸発潜熱によって冷却対象流体を冷却する性能を安定化することが可能な冷却装置を提供することを目的とする。
【課題を解決するための手段】
【０００６】
上記目的を達成するため、開示された技術の一つでは、
吸熱した際に反応媒体が脱離する脱離反応によって蓄熱するとともに、気相の反応媒体が固定化される固定化反応によって放熱する化学蓄熱材（２２）と、
化学蓄熱材を内部に収容する反応容器（２１）と、
内部で液相の反応媒体を蒸発させて気相の反応媒体にする蒸発容器（３１）と、
反応容器の内部での固定化反応に伴って蒸発容器の内部で生成して反応容器の内部へ供給される気相の反応媒体の供給量を調節する供給量調節手段（１２）と、
蒸発容器の内部での反応媒体の蒸発に伴って生じる蒸発潜熱により冷却対象流体を冷却する冷却手段（３２）と、
蒸発容器の内部における反応媒体の蒸発環境状態に関連する物理量を検出する物理量検出手段（３５）と、
供給量調節手段を制御する制御手段（１００）と、を備え、
制御手段は、物理量検出手段が検出する物理量に応じて供給量調節手段を制御し、冷却手段による冷却対象流体の冷却性能を調節するものであり、
蒸発容器の内部の液面の位置である液位（ＷＬ）を調節する液位調節手段（４１）を備え、
冷却手段は、蒸発容器の内部空間と冷却対象流体の流通通路とを隔絶するように設けられて、蒸発潜熱を冷却対象流体と蒸発容器の内部の反応媒体との間で熱交換する熱交換部材（３２）を有し、
液位調節手段は、熱交換部材の最下部（３２ａ）に対応する第１高さ位置（Ｈ１）よりも高く、かつ、第１高さ位置よりも所定寸法高い第２高さ位置（Ｈ２）よりも低くなるように、液位を調節するものであり、
第２高さ位置は、蒸発容器の内部で反応媒体が蒸発する際の液面からの液はね高さ寸法（ＨＳ）に応じて設定されることを特徴としている。
また、開示された技術の他の一つでは、
制御手段は、物理量検出手段が検出する物理量に応じて供給量調節手段を制御し、冷却手段による冷却対象流体の冷却性能を調節するものであり、
蒸発容器の内部の液面の位置である液位（ＷＬ）を調節する液位調節手段（４１）を備え、
冷却手段は、蒸発容器の内部空間と冷却対象流体の流通通路とを隔絶するように設けられて、蒸発潜熱を冷却対象流体と蒸発容器の内部の反応媒体との間で熱交換する熱交換部材（３２）を有し、
液位調節手段は、熱交換部材の最下部（３２ａ）に対応する第１高さ位置（Ｈ１）よりも高く、かつ、第１高さ位置よりも所定寸法高い第２高さ位置（Ｈ２）よりも低くなるように、液位を調節するものであり、
液位調節手段は、蒸発容器の内部へ供給する液相の反応媒体の量を調節して、液位を調節する供給液量調節手段（４１）であることを特徴としている。
【０００７】
これによると、制御手段は、蒸発容器の内部における反応媒体の蒸発環境状態に関連する物理量に応じて供給量調節手段を制御する。したがって、蒸発容器の内部から反応容器の内部へ供給される気相の反応媒体の供給量を調節して、蒸発容器内の反応媒体の蒸発環境を調節し、反応媒体の蒸発に伴って生じる蒸発潜熱量をコントロールすることができる。このようにして、蒸発容器内での反応媒体の蒸発に伴って生じた蒸発潜熱によって冷却対象流体を冷却する性能を安定化することができる。
【０００８】
なお、上記各手段に付した括弧内の符号は、後述する実施形態記載の具体的手段との対応関係を示す一例である。
【図面の簡単な説明】
【０００９】
【図１】本発明を適用した第１の実施形態における冷却装置である化学蓄熱システム１０を有する車両用空調用装置１の概略構成を示す模式図であり、冷房運転時を示している。
【図２】第１の実施形態の車両用空調装置１の概略構成を示す模式図であり、蓄熱運転時を示している。
【図３】第１の実施形態の車両用空調装置１の概略構成を示す模式図であり、暖房運転時を示している。
【図４】第１の実施形態の化学蓄熱システム１０の一部を示す模式構成図である。
【図５】第１の実施形態の空調制御装置１００の冷房運転時の概略制御動作を示すフローチャートである。
【図６】第１の実施形態の空調制御装置１００の冷房性能制御動作を示すフローチャートである。
【図７】第１の実施形態の空調制御装置１００の水位制御動作を示すフローチャートである。
【図８】第１の実施形態の蒸発容器内の水温と飽和水蒸気圧との関係を示すグラフである。
【図９】第１の実施形態の蒸発容器内の水位と冷房性能との関係を示すグラフである。
【図１０】第１の実施形態の蒸発容器内の水位と液はねとの関係を説明するための模式図である。
【図１１】比較例の蒸発容器内の水位と液はねとの関係を説明するための模式図である。
【図１２】第１の実施形態における冷房性能の経時変化の一例を説明するためのタイムチャートである。
【図１３】第１の実施形態の蒸発容器内の圧力と冷房性能との関係を示すグラフである。
【発明を実施するための形態】
【００１０】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００１１】
（第１の実施形態）
本発明を適用した第１の実施形態について、図１〜図１３を参照して説明する。本実施形態では、冷却装置として機能する運転モードで運転可能な化学蓄熱システム１０を車両用空調装置１に適用している。図１に示すように、車両用空調装置１は、空調ユニット２と、空調ユニット２の構成機器を作動制御する空調制御装置１００とを備えている。以下、制御手段である空調制御装置１００を空調ＥＣＵ１００と呼ぶ場合がある。
【００１２】
空調ユニット２は、例えば、大型車両のキャビンの天井部の上面に配置される。空調ユニット２は、空調ダクト６０を有している。空調ダクト６０は、例えば、ある程度の弾性を有して強度的に優れた樹脂の成形品でなっている。
【００１３】
空調ダクト６０には、内部の空気通路に空気流れを発生させる遠心式のブロワ７０が設けられている。ブロワ７０は空調ＥＣＵ１００により作動制御され、駆動用モータに印加されるブロワ電圧に基づいて所定の回転数で回転するようになっている。ブロワ７０の作動により、空調ダクト６０内には、吸込口７１から吹出口７２や排出口７３へ向かう空気流れが形成される。
【００１４】
ブロワ７０の空気流れ上流側の吸込口７１には、図示を省略した内外気切替箱が設けられている。内外気切替箱には、車室外の空気である外気を導入する外気導入口と、車室内の空気である内気を導入する内気導入口とが形成されている。また内外気切替箱には、吸込口モードに基づいて外気又は内気を切替導入するために、外気導入口及び内気導入口を開閉する内外気切替ドアが設けられている。内外気切替ドアは、空調ＥＣＵ１００により作動制御されるようになっている。
【００１５】
空調ダクト６０には、ブロワ７０の空気流れ下流側に仕切壁６３が設けられている。仕切壁６３は、ブロワ７０よりも下流側の空気通路を、第１通路部６１と、第２通路部６２とに区画している。第１通路部６１には、化学蓄熱システム１０の熱交換器３０が配設されている。熱交換器３０は、凝縮器もしくは蒸発器として機能する多機能熱交換器である。一方、第２通路部６２には、化学蓄熱システム１０の反応器２０が配設されている。
【００１６】
仕切壁６３の空気流れ上流端部には、第１開閉ドア８１が設けられている。第１開閉ドア８１は、第１通路部６１へ空気流入口である第１流入口６１ａ、および、第２通路部６２への空気流入口である第２流入口６２ａの開度を調節する。
【００１７】
仕切壁６３には、空気流れ方向における中間部に中間部連通口６３ａが設けられている。中間部連通口６３ａは、第１通路部６１の熱交換器３０よりも空気流れ下流側と、第２通路部６２の反応器２０よりも空気流れ上流側とを連通可能に設けられている。空調ダクト６０内には、中間部連通口６３ａを開閉可能な第２開閉ドア８２が設けられている。第２開閉ドア８２は、中間部連通口６３ａと、第１通路部６１のうち中間部連通口６３ａ形成部位よりも空気流れ下流側とを選択的に開閉する。第２開閉ドア８２は、熱交換器３０から流出した空気を中間部連通口６３ａから第２通路部６２へ流入させるモードと、熱交換器３０から流出した空気をそのまま第１通路部６１に流通させるモードとに選択的に切り替える。
【００１８】
仕切壁６３には、空気流れ方向における下流部に下流部連通口６３ｂが設けられている。下流部連通口６３ｂは、第１通路部６１の中間部連通口６３ａ形成部位よりも空気流れ下流側と、第２通路部６２の反応器２０よりも空気流れ下流側とを連通可能に設けられている。空調ダクト６０内には、下流部連通口６３ｂを開閉可能な第３開閉ドア８３が設けられている。第３開閉ドア８３は、下流部連通口６３ｂと、吹出口７２とを開閉する。第３開閉ドア８３は、下流部連通口６３ｂを閉じて吹出口７２を開くモードと、下流部連通口６３ｂを開いて吹出口７２を閉じるモードと、下流部連通口６３ｂおよび吹出口７２の両者を開くモードとを選択的に切り替える。
【００１９】
空調ダクト６０には、排出口７３を開閉する第４開閉ドア８４が設けられている。第４開閉ドア８４は、排出口７３を開くモードと、排出口７３を開くモードとを選択的に切り替える。第４開閉ドア８４は、空調ダクト６０内を流通する空気を、車室外へ排出させるモードと、車室外への排出を行なわないモードとを選択的に切り替える。
【００２０】
第１開閉ドア８１、第２開閉ドア８２、第３開閉ドア８３および第４開閉ドア８４は、空調ダクト６０内の空気流通モードを切り替える空気流通モード切替手段を構成するものである。第１〜第４開閉ドア８１〜８４は、リンク機構等を介して、空気流通モードドア
駆動用の電動アクチュエータに連結されて連動して回転操作される。なお、この空気流通モードドア駆動用の電動アクチュエータは、空調ＥＣＵ１００から出力される制御信号によって、その作動が制御される。
【００２１】
空調ダクト６０の空気流れ最下流部の吹出口７２には、図示を省略しているが、送風空気を空調対象空間である車室内へ吹き出すための複数の開口が設けられている。この開口としては、車両前面窓ガラス内側面に向けて空調風を吹き出すデフロスタ開口部、車室内の乗員の上半身に向けて空調風を吹き出すフェイス開口部、乗員の足元に向けて空調風を吹き出すフット開口部が設けられている。これらの開口部の空気流れ下流側は、それぞれ空気通路を形成する接続ダクトを介して、車室内に設けられたセンターフェイス吹出口、サイドフェイス吹出口等からなるフェイス吹出口、フット吹出口およびデフロスタ吹出口に接続されている。
【００２２】
デフロスタ開口部、フェイス開口部およびフット開口部の空気流れ上流側には、それぞれ、デフロスタドア、フェイスドア、フットドアが配置されている。デフロスタドアは、デフロスタ開口部の開口面積を調整する。フェイスドアは、フェイス開口部の開口面積を調整する。フットドアは、フット開口部の開口面積を調整する。
【００２３】
フェイスドア、デフロスタドアおよびフットドアは、吹出口モードを切り替える吹出口モード切替手段を構成するものであって、リンク機構等を介して、吹出口モードドア駆動用の電動アクチュエータに連結されて連動して回転操作される。なお、この吹出口モードドア駆動用の電動アクチュエータも、空調ＥＣＵ１００から出力される制御信号によって、その作動が制御される。
【００２４】
吹出口モード切替手段によって切り替えられる吹出口モードとしては、フェイスモード、バイレベルモード、フットモード、およびフットデフロスタモードがある。フェイスモードは、センターフェイス吹出口等から車室内乗員の上半身に向けて空気を吹き出す。バイレベルモードは、センターフェイス吹出口とフット吹出口の両方を開口して車室内乗員の上半身と足元に向けて空気を吹き出す。フットモードは、フット吹出口を全開するとともにデフロスタ吹出口を小開度だけ開口して、フット吹出口から主に空気を吹き出す。フットデフロスタモードは、フット吹出口及びデフロスタ吹出口を同程度開口して、フット吹出口及びデフロスタ吹出口の双方から空気を吹き出す。
【００２５】
さらに、乗員が操作パネルに設けられた吹出モード切替スイッチをマニュアル操作することによって、デフロスタ吹出口を全開してデフロスタ吹出口からフロント窓ガラス内面に空気を吹き出すデフロスタモードとすることもできる。
【００２６】
化学蓄熱システム１０は、弁装置１２、反応器２０、熱交換器３０、水タンク４０、流量調節器４１、水タンク５０、開閉弁５１等を備えている。
【００２７】
反応器２０は、反応容器２１と化学蓄熱材２２とを有している。反応容器２１は、例えば金属製の容器体であり、内部に化学蓄熱材２２を収容している。化学蓄熱材２２は、例えば、物理吸着材とともに反応容器２１内に収容することができる。化学蓄熱材２２は、吸熱した際に反応媒体が脱離する脱離反応して蓄熱するとともに、気相の反応媒体が固定化される固定化反応に伴って放熱する。脱離反応は、反応媒体が化学蓄熱材から脱離する化学的脱離反応と呼ぶことができる。また、固定化反応は、反応媒体が化学蓄熱材に付加する化学的付加反応と呼ぶことができる。また、固定化反応は、気相の反応媒体が化学蓄熱材に化学的に吸着される化学的吸着反応と呼ぶこともできる。
【００２８】
本実施形態では、例えば、化学蓄熱材２２としてアルカリ土類金属の水酸化物の１つである水酸化カルシウムを用い、反応媒体として水を用いることができる。したがって、吸熱したときには、下記式（１）の水酸化カルシウムの脱水反応により蓄熱する。
Ｃａ（ＯＨ）２＋１０９ｋＪ→ＣａＯ＋Ｈ２Ｏ（Ｇａｓ）・・・（１）
【００２９】
また、下記式（２）の酸化カルシウムの水和反応によって水酸化カルシウムに復原することにより、発熱が起こり化学蓄熱材２２から放熱される。
ＣａＯ＋Ｈ２Ｏ（Ｇａｓ）→Ｃａ（ＯＨ）２＋１０９ｋＪ・・・（２）
【００３０】
反応容器２１には、容器体内部とは隔絶された容器体の外部となる部分に空気通路２３が形成されている。空気通路２３は、互いに連通する複数の化学蓄熱材２２収容部の間に形成されている。また、反応容器２１の容器体の外部となる部分には、化学蓄熱材２２を加熱する加熱手段である電気ヒータ２４が配設されている。電気ヒータ２４は空気通路２３に隣接して配置され、反応容器２１の外面に密着している。
【００３１】
加熱手段は、電気ヒータに限定されず、他のヒータであってもよい。また、車両に搭載された内燃機関が排出する排ガスの熱を利用する加熱手段であってもよい。
【００３２】
図４に示すように、熱交換器３０は、容器３１と熱交換部３２とを有している。容器３１および熱交換部３２は、いずれも、例えば金属製である。熱交換部３２は、複数の扁平チューブ３３と扁平チューブ３３内に配設されたフィン３４とを有している。複数の扁平チューブ３３は、互いに間隔を空けて積層され、それぞれの扁平チューブ３３が容器３１を図４紙面表裏方向に延びて貫通するように配置されている。熱交換部３２は、本実施形態における熱交換部材に相当する。
【００３３】
したがって、扁平チューブ３３の内部空間は、容器３１の外部と連通しており、図４紙面表裏方向に延びる空気通路を形成している。扁平チューブ３３内の空気通路は、容器３１の内部とは隔絶されており、図１に示すブロワ７０により送風され第１流入口６１ａから流入し第１通路部６１を流れる空気が流れる。フィン３４は、例えばコルゲートフィンであり、ろう付け等により扁平チューブ３３に接合されている。扁平チューブ３３とフィン３４とは熱的に接続されている。
【００３４】
熱交換器３０は、容器３１内の水と扁平チューブ３３内を流れる空気との熱交換により水の凝縮もしくは蒸発を行なう。容器３１内の水蒸気が扁平チューブ３３内を流れる空気に放熱して液相の水となる場合には、熱交換器３０は凝縮器として機能する。容器３１内の水蒸気は、下記式（３）のように凝縮潜熱を空気に放熱する。
Ｈ２Ｏ（Ｇａｓ）→Ｈ２Ｏ（Ｌｉｑ）＋４４ｋＪ・・・（３）
【００３５】
容器３１内の液相の水が扁平チューブ３３内を流れる空気から吸熱して水蒸気となる場合には、熱交換器３０は蒸発器として機能する。容器３１内の水は、下記式（４）のように蒸発潜熱を空気から吸熱する。
Ｈ２Ｏ（Ｌｉｑ）→Ｈ２Ｏ（Ｇａｓ）−４４ｋＪ・・・（４）
【００３６】
図１および図４に示すように、反応容器２１と容器３１とは水蒸気配管１１で接続されている。水蒸気配管１１により、反応容器２１の内部と容器３１の内部とは連通可能となっている。弁装置１２は、水蒸気配管１１の内部に形成される水蒸気通路の通路断面積を調節する。弁装置１２は、水蒸気配管１１を介して反応容器２１内部と容器３１内部との間を移動する水蒸気量を調節する。弁装置１２は、空調ＥＣＵ１００から出力される制御信号によって、その開度が制御される。
【００３７】
水蒸気配管１１の容器３１側の開口端部は、容器３１の上部に開口している。図示例では、水蒸気配管１１の容器３１側の開口端部は、容器３１の天井部に開口している。
【００３８】
図１および図４に示すように、熱交換器３０の容器３１の下部には、供給用の水配管１４を介して水タンク４０が接続している。図示例では、水配管１４の容器３１側の開口端部は、容器３１の底部に開口している。
【００３９】
水タンク４０は、内部に容器３１内へ供給するための水を貯留する。水配管１４には、供給用の水タンク４０内から容器３１内へ供給される水の量を調節する流量調節器４１が設けられている。流量調節器４１は、空調ＥＣＵ１００から出力される制御信号によって、その水供給作動が制御される。また、流量調節器４１は、水配管１４を介して水タンク４０内から容器３１内へ供給した水量に関する情報を出力する。流量調節器４１には、例えば、マスフローコントローラを用いることができる。流量調節器４１は、本実施形態における供給液量調節手段であり、液位調節手段に相当する。
【００４０】
図４では図示を省略しているが、図１に示すように、熱交換器３０の容器３１の下部には、排水用の水配管１５を介して水タンク５０が接続している。図示例では、水配管１５の容器３１側の開口端部は、容器３１の底部に開口している。
【００４１】
水タンク５０は、容器３１内で凝縮して復水した水を貯留する。水配管１５には、容器３１内から排水用の水タンク５０内へ送られる水の通路を開閉する開閉弁５１が設けられている。開閉弁５１は、空調ＥＣＵ１００から出力される制御信号によって、その作動が制御される。
【００４２】
本実施形態では、供給用の水タンク４０と排水用の水タンク５０とを別に設けているが、水配管１４及び水配管１５の水流通方向を規制する手段を設けたり、共通の水配管を用いても流通方向を制御する手段を設けたりすれば、水タンクを１つにしてもかまわない。
【００４３】
容器３１の上部には、容器３１の内部の圧力を検出する圧力検出手段である圧力センサ３５が設けられている。本実施形態では、圧力センサ３５は、容器３１の天井部に設けられ、常時容器３１内の水蒸気の圧力を検出するようになっている。圧力センサ３５は検出した圧力情報を空調ＥＣＵ１００へ出力する。
【００４４】
圧力センサ３５は、容器３１内の第２高さ位置Ｈ２よりも高い部位、および、水蒸気配管１１内の弁装置１２よりも容器３１側の部位のいずれかの圧力を検出するように設けることが好ましい。
【００４５】
空調ダクト６０内には、流入温センサ３６および流出温センサ３７が設けられている。流入温センサ３６は、熱交換器３０の熱交換部３２へ流入する空気の温度を検出する。流入温センサ３６は、熱交換器３０の扁平チューブ３３へ流入する直前の空気の温度を検出する。また、流出温センサ３７は、熱交換器３０の熱交換部３２から流出する空気の温度を検出する。流出温センサ３７は、熱交換器３０の扁平チューブ３３から流出した直後の空気の温度を検出する。流出温センサ３７は、フィン３４に取り付けられるフィン温度センサであってもよい。流入温センサ３６および流出温センサ３７の両温度検出手段は、いずれも、検出した温度情報を空調ＥＣＵ１００へ出力する。
【００４６】
空調ＥＣＵ１００は、ＣＰＵ、ＲＯＭ、ＲＡＭ等を備えている。空調ＥＣＵ１００は、マイクロコンピュータ、入力回路、出力回路等を有している。マイクロコンピュータは、種々の演算処理を行う。入力回路は、各種センサ等から入力された信号をＡ／Ｄ変換してマイクロコンピュータに出力する。出力回路は、マイクロコンピュータからの制御信号を出力信号仕様に変換して各制御機器に出力する。
【００４７】
空調ＥＣＵ１００には、例えば車室内の計器盤近傍に設けられたコントロールパネルの各種スイッチからのスイッチ信号、及び各種センサからの検出信号等が入力される。また、例えば車両を制御する車両制御手段から、車両の速度に関する情報等も入力する。空調ＥＣＵ１００は、入力された各種信号や情報等に基づいて、弁装置１２、電気ヒータ２４、流量調節器４１、開閉弁５１、ブロワ７０、各開閉ドア８１〜８４等を作動制御するようになっている。空調ＥＣＵ１００は、入力情報等に基づいて、内外気モード設定制御、吹出口モード設定制御、風量設定制御、空気流通モード設定制御、化学蓄熱システム運転モード設定制御等を行なう。
【００４８】
空調ＥＣＵ１００は、車両に余剰のエネルギーがある場合には、化学蓄熱システム１０の化学蓄熱材２２に蓄熱する蓄熱運転を行なうことができる。また、空調ＥＣＵ１００は、入力された各種信号や情報等に基づいて、車室内の空調が必要であると判断した場合には、化学蓄熱システム１０に蓄えたエネルギーを利用して、冷房運転や暖房運転を行なうことができる。空調ＥＣＵ１００は、車両用空調装置１を、蓄熱運転モード、冷房運転モード、および、暖房運転モードに設定切り替えすることができる。
【００４９】
空調ＥＣＵ１００は、例えば、車両が所定速度以上の高速走行を行なっているときには、オルタネータにおける余剰発電電力を利用して、化学蓄熱システム１０に蓄熱する蓄熱運転を行なう。蓄熱運転時には、図２に示すように、各開閉ドア８１〜８４の位置を設定する。
【００５０】
第１開閉ドア８１は、第１流入口６１ａを全開とし、第２流入口６２ａを閉塞する。第２開閉ドア８２は、中間部連通口６３ａを閉塞し、第１通路部６１の中間部連通口６３ａ形成部位よりも空気流れ下流側を全開とする。第３開閉ドア８３は、下流部連通口６３ｂを開いて吹出口７２を閉塞する。第４開閉ドア８４は、排出口７３を開く。
【００５１】
これにより、空調ダクト６０内には、図２に白抜き矢印で示すように空気が流通する。このとき、ブロワ７０を作動させて送風を行なってもよいが、車両が高速走行を行なっているので、ブロワ７０を停止していてもラム圧により空調ダクト６０内に空気が流れる。
【００５２】
また、空調ＥＣＵ１００は、弁装置１２を開状態とするとともに、開閉弁５１も開状態とする。そして、空調ＥＣＵ１００は、反応器２０の電気ヒータ２４に通電して化学蓄熱材２２を加熱する。このとき、第２通路部６２には、空気流れが形成されていないので、化学蓄熱材２２を効率よく加熱することができる。電気ヒータ２４の加熱により、反応容器２１内では、上記した式（１）のように水酸化カルシウムが脱水反応して化学蓄熱する。
【００５３】
脱水反応に伴い反応容器２１内で発生した水蒸気は、水蒸気配管１１内を流通して熱交換器３０の容器３１内へ導入される。容器３１内へ導入された水蒸気は、第１通路部６１を流れる空気により冷却されて、上記の式（３）のように凝縮して液相の水となる。このとき、熱交換器３０は、凝縮器として機能している。熱交換器３０により凝縮した水は、水配管１５を介して水タンク５０内へ回収される。
【００５４】
空調ＥＣＵ１００は、車室内を冷房する必要がある場合には、吹出口７２から車室内へ冷風を吹き出す冷房運転を行なう。冷房運転時には、図１に示すように、各開閉ドア８１〜８４の位置を設定する。
【００５５】
第１開閉ドア８１は、第１流入口６１ａおよび第２流入口６２ａを共に開く。第２開閉ドア８２は、中間部連通口６３ａを閉塞し、第１通路部６１の中間部連通口６３ａ形成部位よりも空気流れ下流側を全開とする。第３開閉ドア８３は、下流部連通口６３ｂを閉塞して吹出口７２を開く。第４開閉ドア８４は、排出口７３を開く。
【００５６】
これにより、空調ダクト６０内には、図１に白抜き矢印で示すように空気が流通する。このとき、ブロワ７０が作動されて空調ダクト６０内に送風が行なわれる。
【００５７】
反応容器２１内では、上記した式（２）の酸化カルシウムの水和反応によって水酸化カルシウムに復原することにより、発熱が起こり化学蓄熱材２２から放熱される。化学蓄熱材２２からの熱量は、第２通路部６２を流れる空気に放熱され、排出口７３から車室外に放出される。
【００５８】
このとき、空調ＥＣＵ１００は、弁装置１２を開状態としている。水和反応に伴い反応容器２１内で必要となる水蒸気は、水蒸気配管１１内を介して熱交換器３０の容器３１内から供給される。容器３１内では液相の水が第１通路部６１を流れる空気から吸熱して蒸発して水蒸気となる。容器３１内の水は、上記の式（４）のように蒸発潜熱を空気から吸熱する。これにより、第１通路部６１を流れ熱交換器３０で冷却された空気は、吹出口７２から車室内へ吹き出す。このとき、熱交換器３０は、蒸発器として機能している。
【００５９】
また、このとき、空調ＥＣＵ１００は、開閉弁５１は閉状態とするとともに、流量調節器４１を作動している。熱交換器３０での水の蒸発により不足した分の液相の水は、水配管１４を介して水タンク４０内から供給される。空調ＥＣＵ１００は、弁装置１２の開度制御および流量調節器４１の作動制御を行なう。これらの制御については、後で詳述する。
【００６０】
空調ＥＣＵ１００は、車室内を暖房する必要がある場合には、吹出口７２から車室内へ温風を吹き出す暖房運転を行なう。暖房運転時には、図３に示すように、各開閉ドア８１〜８４の位置を設定する。
【００６１】
第１開閉ドア８１は、第１流入口６１ａを全開とし、第２流入口６２ａを閉塞する。第２開閉ドア８２は、中間部連通口６３ａを全開とし、第１通路部６１の中間部連通口６３ａ形成部位よりも空気流れ下流側を閉塞する。第３開閉ドア８３は、下流部連通口６３ｂおよび吹出口７２の両者を開く。第４開閉ドア８４は、排出口７３を閉塞する。
【００６２】
これにより、空調ダクト６０内には、図３に白抜き矢印で示すように空気が流通する。このとき、ブロワ７０が作動されて空調ダクト６０内に送風が行なわれる。
【００６３】
反応容器２１内では、上記した式（２）の酸化カルシウムの水和反応によって水酸化カルシウムに復原することにより、発熱が起こり化学蓄熱材２２から放熱される。化学蓄熱材２２からの熱量は、中間部連通口６３ａから第２通路部６２へ流入した空気に放熱される。
【００６４】
このとき、空調ＥＣＵ１００は、弁装置１２を開状態としている。水和反応に伴い反応容器２１内で必要となる水蒸気は、水蒸気配管１１内を介して熱交換器３０の容器３１内から供給される。容器３１内では液相の水が第１通路部６１を流れる空気から吸熱して蒸発して水蒸気となる。容器３１内の水は、上記の式（４）のように蒸発潜熱を空気から吸熱する。これにより、第１通路部６１を流れ熱交換器３０で熱交換される空気は、冷却され除湿される。このとき、熱交換器３０は、蒸発器として機能している。
【００６５】
これにより、空調ダクト６０を流れる空気は、熱交換器３０で冷却除湿された後、反応器２０で加熱され、温風となって吹出口７２から車室内へ吹き出す。車室内へ吹き出す温風は、除湿された温風であり、車室の窓ガラス等が曇り難い。したがって、内外気切替箱を内気導入モードとして、速やかかつ効率的な暖房を行なうことが可能である。
【００６６】
また、このとき、空調ＥＣＵ１００は、開閉弁５１は閉状態とするとともに、流量調節器４１を作動している。熱交換器３０での水の蒸発により不足した分の液相の水は、水配管１４を介して水タンク４０内から供給される。
【００６７】
なお、暖房運転時には、第１開閉ドア８１による第１流入口６１ａおよび第２流入口６２ａの開度比の設定変更により、車室内へ吹き出す温風温度を変更することも可能である。
【００６８】
次に、空調ＥＣＵ１００が冷房運転を行なう際の制御動作について説明する。図５に示すように、空調ＥＣＵ１００は、冷房運転を開始するときには、まず、容器３１内の初期水量供給を行なう（ステップ１０１）。ステップ１０１では、例えば水配管１４を介して液相の水を容器３１内へ供給し、水面のレベルである水位ＷＬが、上限レベルである第２高さ位置Ｈ２、もしくは第２高さ位置Ｈ２よりも若干低い位置となるように設定する。第２高さ位置Ｈ２は、第１高さ位置Ｈ１よりも所定寸法高い高さ位置である。第１高さ位置Ｈ１は、容器３１内における熱交換部３２の最下部３２ａに対応する高さ位置である。本例では、扁平チューブ３３の最下部に相当する。
【００６９】
ステップ１０１を実行したら、次に、蒸発器である熱交換器３０の冷房性能制御（ステップ２００）、および、容器３１内の水位制御（ステップ３００）を、繰り返し実行する。なお、ステップ２００の制御周期と、ステップ３００の制御周期とは、同一でなくてもよい。冷房性能制御の制御周期を比較的短くしてきめ細かく冷房性能を調節し、水位制御の周期は冷房性能制御の周期に比して長くすることができる。例えば、水位制御の周期は、冷房性能制御の周期に対して、１０倍から２００倍程度に設定することができる。
【００７０】
図６に示すように、冷房性能制御を行なうときには、空調ＥＣＵ１００は、まず、圧力センサ３５が検出する圧力値Ｐを取得する（ステップ２１０）。そして、次に、ステップ２１０で取得した圧力値Ｐが予め設定された所定圧力値Ｐ１より高いか否か判断する（ステップ２２０）。
【００７１】
ステップ２２０において、圧力値Ｐが所定圧力値Ｐ１より高いと判断した場合には、弁装置１２の開度を１段階上昇させる（ステップ２３０）。ステップ２３０を実行したら、ステップ２１０へリターンする。一方、ステップ２２０において、圧力値Ｐが所定圧力値Ｐ１より低いと判断した場合には、弁装置１２の開度を１段階下降させる（ステップ２４０）。ステップ２４０を実行したら、ステップ２１０へリターンする。図６では図示を省略しているが、圧力値Ｐが所定圧力値Ｐ１と等しい場合には、弁装置１２の開度変更を行なわずに、ステップ２１０へリターンする。
【００７２】
なお、弁装置１２を、通路断面積を調節可能な開度調節タイプではなく、全開モードと全閉モードとを切り替える開閉弁タイプとすることができる。この場合には、ステップ２３０では、弁装置を開状態とし、ステップ２４０では、弁装置を閉状態とする。弁装置が開閉弁タイプである場合には、弁装置が水蒸気配管１１内の通路を介して水蒸気を断続的に供給することができる。弁装置が開閉弁タイプである場合には、弁装置の弁体のハンチングを防止するために、開状態から閉状態へ移行する際の所定圧力値Ｐ１と、閉状態から開状態へ移行する際の所定圧力値Ｐ１を異なるものとしてもかまわない。
【００７３】
ステップ２２０における圧力判定基準値（閾値）である所定圧力値Ｐ１は、例えば、図８に示すように、１．０ｋＰａ〜１．４ｋＰａの範囲内の所定値とすることができる。所定圧力値Ｐ１が１．０ｋＰａよりも低い場合には、蒸気圧不足により反応器２０における水和反応が抑制され、反応器２０の性能が低下してしまい好ましくない。一方、所定圧力値Ｐ１が１．４ｋＰａよりも高い場合には、容器３１内の水の相変化温度が比較的高くなってしまい、熱交換器３０で空気の好適な冷却を行なうことが難しい。
【００７４】
また、ステップ２２０における圧力判定値である所定圧力値Ｐ１は、１つの圧力値であってもよいが、所定の圧力範囲で設定されるものであってもよい。例えば、所定圧力値Ｐ１を、１．０ｋＰａ〜１．４ｋＰａの範囲内の所定圧力範囲で設定してもかまわない。
【００７５】
なお、本例では、反応容器２１、容器３１およびこれらを接続する水蒸気配管１１は、互いの接続部において気密に接続されている。そして、これらの内部空間を真空脱気した後に水を供給している。これにより、容器３１内における水の蒸発を容易にしている。このような条件下では、圧力判定基準値である所定圧力値Ｐ１は、図８に示すように、飽和水蒸気圧から設定することができる。
【００７６】
また、反応容器２１、容器３１およびこれらを接続する配管の内部空間に、空気等の水以外の気体が存在する場合には、水の飽和水蒸気圧を分圧とする圧力値に基づいて所定圧力値Ｐ１を設定することができる。
【００７７】
空調ＥＣＵ１００は、圧力センサ３５が検出する圧力が高くなるにしたがって、容器３１の内部から反応容器２１の内部へ供給される水蒸気の供給量が多くなるように弁装置１２を制御する。これにより、容器３１内の圧力を目標冷却性能に対応した所定圧力値Ｐ１に保ち、熱交換器３０における冷却性能を安定化する。
【００７８】
図７に示すように、水位制御を行なうときには、空調ＥＣＵ１００は、まず、蒸発性能の積算を行なう（ステップ３１０）。ステップ３１０では、先回ステップ３１０を実行した後の蒸発性能の積算値を算出する。
【００７９】
蒸発性能ｗ（単位Ｗ）は、下記の式（５）により求めることができる。なお、単位は例示であり、以下も同様である。
ｗ＝（Ｔ１−Ｔ２）×Ｑ１×Ｃｐ・・・（５）
【００８０】
ここで、Ｔ１は、流入温センサ３６が検出する空気の温度（単位℃）である。Ｔ２は、流出温センサ３７が検出する空気の温度（単位℃）である。また、Ｑ１は、空気の流量（単位ｍ３／ｈｒ）である。空調ＥＣＵ１００は、Ｑ１をブロワ７０への作動指令値から算出することができる。Ｃｐは、空気の比熱（単位Ｊ／ｍ３）である。
【００８１】
式（５）により求めた蒸発性能ｗを積算して、積算蒸発性能ｑ（単位Ｊ）を下記の式（６）から求めることができる。
【数１】
0006323257.tif 000002
【００８２】
蒸発性能ｗは、蒸発の仕事率ということができる。したがって、積算蒸発性能ｑは、蒸発の仕事量であるといえる。
【００８３】
ステップ３１０を実行して、蒸発性能の積算値を算出したら、積算蒸発性能ｑに相当する分の水を、水タンク４０から容器３１内へ供給する（ステップ３２０）。
【００８４】
ステップ３２０では、まず、下記の式（７）により蒸発により消費した水量ｍ（単位ｍｍ３）を算出する。
ｍ＝ｑ／Ｃ・・・（７）
【００８５】
ここで、Ｃは、水の潜熱（単位Ｊ／ｇ）である。
【００８６】
消費した水量ｍを算出したら、流量調節器４１を作動させて水タンク４０から容器３１内へ液相の水を供給するとともに、流量調節器４１から供給水量Ｑ２（単位ｍｍ３／ｍｉｎ）を取得する。そして、下記の式（８）により、消費水量ｍから供給水量Ｑ２を逐次減算していく。
ｍ＝ｍ−Ｑ２・・・（８）
【００８７】
そして、ｍが０以下となったところで、水タンク４０から容器３１内へ水の供給を停止する。以上のように、ステップ３２０を実行して、容器３１内への水の供給を完了したら、ステップ３１０へリターンする。
【００８８】
空調ＥＣＵ１００が水位制御を行なう際には、図４に示すように、容器３１内の水位ＷＬが、下限レベルである第１高さ位置Ｈ１よりも高く、上限レベルである第２高さ位置Ｈ２よりも低くなるようになっている。空調ＥＣＵ１００が行なう水位制御は、水位ＷＬが、常に第１高さ位置Ｈ１と第２高さ位置Ｈ２との間に位置するように行なわれる。
【００８９】
図９に示すように、水位ＷＬが第１高さ位置Ｈ１より低くなると、熱交換器３０で空気を冷却する性能が大きく低下する。水が相変化する液面位置において水の蒸発時には蒸発潜熱が得られる。この液面が熱交換部３２の下端よりも低くなると、蒸発潜熱で空気を冷却し難い。これにより、液面が熱交換部３２の下端よりも低くなると空気冷却性能が低下してしまう。
【００９０】
一方、水位ＷＬが第２高さ位置Ｈ２より高くなると、液はねにより一部の蒸発潜熱が利用し難くなる。図１０に示すように、第２高さ位置Ｈ２は、水面からの液はね高さ寸法ＨＳに基づいて設定されている。例えば、第２高さ位置Ｈ２は、熱交換部３２の最上部３２ｂよりも液はね高さ寸法ＨＳだけ低い位置に設定することができる。
【００９１】
容器３１内において活発な蒸発が行なわれると、水蒸気の生成に伴い水面から液はねが起きる場合がある。液はねとは、水面からの微細な水滴Ｈｄの飛散である。飛散した水滴Ｈｄが熱交換部３２に付着した場合には、水滴Ｈｄが水蒸気となる場合に、蒸発潜熱で空気を冷却することができる。液はね高さ寸法ＨＳは、液はねにより水滴Ｈｄが飛散する際の水面からの到達限界高さ寸法である。液はね高さ寸法ＨＳは、液はねにより水滴Ｈｄが飛散する際の水面からの最高到達高さ寸法である。
【００９２】
ところが、図１１に示すように、水位ＷＬが第２高さ位置Ｈ２より高くなると、液はねした水滴Ｈｄは、熱交換部３２の最上部３２ｂよりも上方まで飛散して、容器３１の天井部や水蒸気配管１１の内面に付着してしまう。このように、熱交換部３２以外に付着した水滴Ｈｄは、蒸発して水蒸気となったとしても、蒸発潜熱で熱交換部３２を通過する空気を冷却し難い。
【００９３】
このように、容器３１内の水位ＷＬが、第１高さ位置Ｈ１以上、かつ、第２高さ位置Ｈ２以下に位置付けられている場合に、蒸発潜熱を空気冷却に確実に利用することができる。
【００９４】
熱交換器３０が蒸発器として機能しているときには、容器３１は蒸発容器に相当する。また、弁装置１２は、水和反応に伴って蒸発容器の内部で生成して反応容器の内部へ供給される気相の反応媒体である水蒸気の供給量を調節する供給量調節手段に相当する。また、熱交換器３０の熱交換部３２は、蒸発容器の内部での反応媒体の蒸発に伴って生じる蒸発潜熱により冷却対象流体である空調用の送風空気を冷却する冷却手段に相当する。また、圧力センサ３５は、蒸発容器の内部における反応媒体の蒸発環境状態に関連する物理量を検出する物理量検出手段に相当する。
【００９５】
上述の構成および作動によれば、以下に述べる効果を得ることができる。
【００９６】
本実施形態の車両用空調装置１は、吸熱した際に反応媒体である水が脱離する脱水反応して蓄熱するとともに、気相の反応媒体である水蒸気が固定化される水和反応して放熱する化学蓄熱材２２と、化学蓄熱材２２を内部に収容する反応容器２１と、を備えている。
【００９７】
また、内部で液相の水を蒸発させて水蒸気とする蒸発容器である容器３１と、反応容器２１内での水和反応に伴って容器３１内で生成して反応容器２１内へ供給される水蒸気の供給量を調節する弁装置１２と、を備えている。
【００９８】
反応容器２１内で水和反応が行なわれるときには、熱交換器３０が蒸発器として用いられる。このとき、容器３１は蒸発容器である。また、弁装置１２は、水和反応に伴って蒸発容器の内部で生成して反応容器２１の内部へ供給される水蒸気の供給量を調節する供給量調節手段である。
【００９９】
さらに、容器３１の内部での水の蒸発に伴って生じる蒸発潜熱により冷却対象流体である送風空気を冷却する熱交換部３２と、容器３１の内部における水の蒸発環境状態に関連する物理量を検出する物理量検出手段としての圧力センサ３５と、を備えている。
【０１００】
そして、制御手段である空調ＥＣＵ１００は、圧力センサ３５が検出する物理量に応じて弁装置１２を制御し、熱交換器３０が蒸発器であるときの熱交換部３２による送風空気の冷却性能を調節する。
【０１０１】
これによると、空調ＥＣＵ１００は、容器３１内における反応媒体の蒸発環境状態に関連する物理量に応じて弁装置１２を制御する。したがって、容器３１内から反応容器２１内へ供給される気相の反応媒体の供給量を調節して、容器３１内の反応媒体の蒸発環境を調節し、反応媒体の蒸発に伴って生じる蒸発潜熱量をコントロールすることができる。このようにして、容器３１内での反応媒体の蒸発に伴って生じた蒸発潜熱によって冷却対象流体である送風空気を冷却する性能を安定化することができる。
【０１０２】
また、本実施形態の反応媒体は水であり、容器３１の内部では、液相の水が蒸発して水蒸気となる。これによると、空調ＥＣＵ１００は、容器３１の内部における水蒸気の生成環境状態に関連する物理量に応じて弁装置１２を制御する。したがって、容器３１の内部から反応容器２１の内部へ供給される水蒸気の供給量を調節して、容器３１の内部の水蒸気生成環境を調節し、水蒸気の生成に伴って生じる蒸発潜熱量を調整することができる。このようにして、容器３１の内部での水蒸気の生成に伴って生じた蒸発潜熱によって車室内への送風空気を冷却する冷却性能を安定化することができる。
【０１０３】
車両用空調装置１において、空調ＥＣＵ１００は、車室内へ吹き出す空調空気の目標吹出温度ＴＡＯに基づいて送風空気の冷却性能の目標値を決定する。そして、熱交換器３０の熱交換部３２による冷却性能が、目標吹出温度ＴＡＯに基づいて決定した目標値に一致するように、水の蒸発環境状態に関連する物理量である圧力に応じて弁装置１２を制御して冷却性能を調節する。したがって、図１２に示すように、本実施形態によれば、安定した冷房性能を比較的長時間維持することができる。これに対し、弁装置１２で水蒸気供給量の調節を行なわない比較例においては、図１２に破線で示すように、安定した冷房性能を維持することができない。これは、反応容器２１内での水和反応が成り行きで行われ、これに伴い蒸発容器内での水蒸気の生成が行なわれるため、水和反応開始直後に高い冷房性能を得ることができるものの、その後急速に冷房性能が低下してしまう。
【０１０４】
また、本実施形態の物理量検出手段は、蒸発容器である容器３１の内部の圧力を検出する圧力検出手段としての圧力センサ３５である。これによると、蒸発容器内の圧力により、蒸発容器内の反応媒体である水の蒸発環境を精度良く検出することができる。したがって、蒸発容器内での反応媒体の蒸発に伴って生じた蒸発潜熱によって冷却対象流体を冷却する性能を確実に安定化することができる。
【０１０５】
また、本実施形態の圧力検出手段は、蒸発容器の内部の気相の水の圧力を検出する。これによると、蒸発容器内の気相の水の圧力により、蒸発容器内の水の蒸発環境をより精度良く検出することができる。したがって、蒸発容器内での反応媒体の蒸発に伴って生じた蒸発潜熱によって冷却対象流体を冷却する性能をより確実に安定化することができる。
【０１０６】
容器３１内では、温度分布が生じるため、蒸発容器内の反応媒体である水の蒸発環境を温度で検出して弁装置１２を制御すると、冷却性能の安定度が低下し易い。蒸発容器内では、気液界面で液相の水が水蒸気に気化する。したがって、気液界面では水温と同温の水蒸気が生成される。その後、蒸発容器内を上昇する水蒸気は、熱交換部３２での熱交換により、上昇するに従って徐々に温度が上昇していく。また、減圧場では、界面沸騰が起きるため、容器３１内の温度分布が乱れ易い。さらに、弁装置１２の開閉状態によっても、水蒸気の流れ状態が変動するため、温度分布が乱れ易い。これらに起因して、容器３１内で検出する水蒸気の温度は、気液界面の温度から乖離する場合があり、水の蒸発環境状態を表す物理量としては比較的精度が低く、冷却性能の安定度が低下する場合がある。
【０１０７】
また、容器３１内の液相の水の温度を検出する場合は、容器３１内での水の蒸発に伴い、水配管１４を介して下部から例えば常温の水が供給される。したがって、容器３１内の液相の水は、下部と上部の気液界面近傍とでは温度が異なり易い。また、減圧場では、界面沸騰が起きるため、容器３１内の水の混合が安定せず、液相の水にも温度分布が生じ易い。これらに起因して、容器３１内で検出する液相の水の温度は、気液界面の温度から乖離する場合があり、水の蒸発環境状態を表す物理量としては比較的精度が低く、冷却性能の安定度が低下する場合がある。
【０１０８】
冷却性能の制御を送風空気の熱交換部３２からの流出温度に基づいて行なうことも考えられるが、送風空気の流速分布や温度分布に起因して検出温度にばらつきを生じ易い。また、送風空気の流速によっては、温度検出の応答遅れが生じる場合がある。
【０１０９】
これらに対して、本実施形態のように水の蒸発環境状態を表す物理量として容器３１内の気相部の圧力を用いれば、冷却性能を確実に安定化することができる。例えば、図１３に示すように、蒸発容器である容器３１内の圧力を、所望の冷房性能に対応した圧力に制御することにより、所望の高い冷房性能、すなわち、所望の高い空調空気冷却性能を得ることが可能である。
【０１１０】
また、本実施形態の化学蓄熱システム１０は、蒸発容器の内部の水面の位置である水位ＷＬを調節する水位調節手段として流量調節器４１を備えている。すなわち、蒸発容器内の液面の位置である液位を調節する液位調節手段を備えている。そして、送風空気を冷却する冷却手段は、蒸発容器の内部空間と送風空気の流通通路とを隔絶するように設けられて、蒸発潜熱を送風空気と蒸発容器の内部の水との間で熱交換する熱交換部材である熱交換部３２を有している。
【０１１１】
液位調節手段である流量調節器４１は、熱交換部３２の最下部３２ａに対応する第１高さ位置Ｈ１よりも高く、かつ、第１高さ位置Ｈ１よりも所定寸法高い第２高さ位置Ｈ２よりも低くなるように液位である水位ＷＬを調節する。
【０１１２】
これによると、流量調節器４１により、蒸発容器内の反応媒体の液位が、熱交換部３２の最下部３２ａに対応する第１高さ位置Ｈ１と、第１高さ位置Ｈ１よりも所定寸法高い第２高さ位置Ｈ２との間に位置するように調節することができる。したがって、相変化に伴い蒸発潜熱が生じる液面の位置を、熱交換部３２に触れる位置とすることができる。これにより、水の蒸発に伴って生じた蒸発潜熱によって確実に送風空気を冷却することができる。このようにして、送風空気を冷却する性能をより一層確実に安定化することができる。
【０１１３】
また、第２高さ位置Ｈ２は、蒸発容器の内部で水が蒸発する際の液面からの液はね高さ寸法ＨＳに応じて設定されている。水が蒸発する際に液面から液はねがあり、飛散した液相の水が熱交換部３２以外に付着した場合には、この水が蒸発しても蒸発潜熱を送風空気の冷却に利用し難い。したがって、水が蒸発する際の液面からの液はね高さ寸法に応じた第２高さ位置Ｈ２を設定することで、液はねがあったとしても飛散した液相の水が熱交換部３２以外に付着することを抑制することができる。これにより、水の蒸発に伴って生じた蒸発潜熱によって一層確実に送風空気を冷却することができる。
【０１１４】
また、本実施形態の液位調節手段である流量調節器４１は、蒸発容器の内部へ供給する液相の水の量を調節して液位を調節する供給液量調節手段である。これによると、供給液量調節手段で蒸発容器内へ供給する液相の水量を調節して、第１高さ位置Ｈ１と第２高さ位置Ｈ２との間に位置するように、容易に液位を調節することができる。
【０１１５】
また、本実施形態の冷却対象流体は、車両の室内へ吹き出す空調空気（送風空気）である。冷却対象流体は、空調ダクト６０内の送風空気である。これによると、蒸発容器内での水の蒸発に伴って生じた蒸発潜熱によって車室内へ吹き出す空調空気を冷却する性能を安定化することができる。したがって、車室内を安定して冷房することができる。
【０１１６】
（他の実施形態）
以上、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【０１１７】
上記実施形態では、反応媒体が水であり、化学蓄熱材が水酸化カルシウムであった。化学蓄熱材は、反応媒体が固定化（吸着）された際に水酸化カルシウムとなり、反応媒体が脱離された際に酸化カルシウムとなるものであった。しかしながら、これに限定されるものではない。
【０１１８】
例えば、水を反応媒体とする場合には、化学蓄熱材としては、例えば、下記するものを用いることができる。酸化物系の材料として、上記したＣａＯのほか、例えば、酸化マグネシウム（ＭｇＯ）、酸化バリウム（ＢａＯ）等のアルカリ土類金属の無機酸化物を用いることができる。また、酸化リチウム等のアルカリ金属の無機酸化物、酸化アルミニウム（Ａｌ２Ｏ３）、等の無機酸化物などであってもよい。これらの金属酸化物は、一種、もしくは、二種以上を用いることができる。
【０１１９】
また、アンモニア等を反応媒体とする場合には、化学蓄熱材としては、例えば、下記するものを採用することができる。化学蓄熱材としては、金属塩化物を用いることができ、例えば、アルカリ金属の塩化物、アルカリ土類金属の塩化物、及び遷移金属の塩化物などが好適である。化学蓄熱材としては、塩化リチウム（ＬｉＣｌ）や塩化マグネシウム（ＭｇＣｌ２）を用いることができる。また、塩化カルシウム（ＣａＣｌ２）、塩化ストロンチウム（ＳｒＣｌ２）、塩化バリウム（ＢａＣｌ２）、塩化マンガン（ＭｎＣｌ２）、塩化コバルト（ＣｏＣｌ２）、塩化ニッケル（ＮｉＣｌ２）等を用いることができる。金属塩化物は、一種、もしくは、二種以上を用いることができる。
【０１２０】
金属塩化物では、例えば、アンモニアが化学蓄熱材から脱離する脱離反応したときに蓄熱し、アンモニアが化学蓄熱材に固定化（吸着）される固定化反応（吸着反応）したときに放熱する。例えば、化学蓄熱材がＭｇＣｌ２の場合、下記の可逆反応式（９）において、右方向に進む固定化反応時に放熱し、左方向に進む脱離反応時に蓄熱する。
ＭｇＣｌ２・２ＮＨ３＋４ＮＨ３⇔ＭｇＣｌ２・６ＮＨ３＋Ｑ［ｋＪ］・・・（９）
【０１２１】
また、上記実施形態では、蒸発容器の内部における反応媒体の蒸発環境状態に関連する物理量を検出する物理量検出手段として、蒸発容器内の上部の圧力を検出する圧力検出手段である圧力センサ３５を用いていたが、これに限定されるものではない。物理量検出手段は、例えば、蒸発容器内の上部以外の位置に配設された圧力検出手段であってもよい。また、例えば、蒸発容器内の温度を検出する温度検出手段であってもかまわない。また、例えば、蒸発容器内から反応容器内へ供給される反応媒体流量を検出する手段であってもかまわない。また、例えば、反応容器内の温度を検出する温度検出手段であってもかまわない。蒸発容器の内部で蒸発した反応媒体が反応容器の内部へ供給されて、気相の反応媒体が化学蓄熱材に固定化される固定化反応に伴って放熱するため、反応容器内の温度も、蒸発容器内における反応媒体の蒸発環境状態に関連する物理量に相当する。
【０１２２】
また、上記実施形態では、図７に例示した制御動作によって、蒸発容器内の液位を調節していたが、これに限定されるものではない。例えば、第１高さ位置Ｈ１と第２高さ位置Ｈ２とに液位を検出する手段を設け、この液位検出手段が検出する液位に応じて蒸発容器内の液位を調節するものであってもよい。
【０１２３】
また、上記実施形態では、蒸発容器の内部の液面の位置である液位を調節する液位調節手段として、蒸発容器の内部へ供給する液相の反応媒体の量を調節する供給液量調節手段である流量調節器４１を用いていたが、これに限定されるものではない。例えば、流量調節器４１以外の供給液量調節手段を採用してもかまわない。また、供給液量調節手段以外の液位調節手段を採用してもかまわない。例えば、蒸発容器に、熱交換部よりも下方の貯液容量を可変する機構を設けて、液位調節手段としてもかまわない。
【０１２４】
また、上記実施形態では、熱交換器３０は、容器３１と、容器３１を貫通するように配設された扁平チューブ３３を有する熱交換部３２とを備えていたが、熱交換器の形態はこれに限定されるものではない。例えば、上下に一対のタンクを有し、一対のタンク間を複数のチューブで連通して熱交換器としてもかまわない。すなわち、上記実施形態では、チューブ内が冷却対象流体の通路であったが、タンク及びチューブ内を反応媒体の貯留空間や通路とし、隣り合うチューブ間を冷却対象流体の通路とするものであってもよい。
【０１２５】
また、上記実施形態では、熱交換器３０は、蒸発器および凝縮器のいずれかに機能を切り替える熱交換器であったが、これに限定されるものではなく、蒸発器と凝縮器とを別に設けてもかまわない。
【０１２６】
また、上記実施形態では、冷却対象流体は、車室内へ吹き出す空調空気であったが、これに限定されるものではない。冷却対象流体は、例えば、空気以外の気体であってもよいし、例えば、水等の液体であってもかまわない。
【符号の説明】
【０１２７】
１  車両用空調装置
１０  化学蓄熱システム
１２  弁装置（供給量調節手段）
２１  反応容器
２２  化学蓄熱材
３１  容器（蒸発容器）
３２  熱交換部（冷却手段、熱交換部材）
３５  圧力センサ（物理量検出手段、圧力検出手段）
４１  流量調節器（液位調節手段、供給液量調節手段）
１００  空調制御装置（空調ＥＣＵ、制御手段）
【図１】
0006323257.tif 000003
【図２】
0006323257.tif 000004
【図３】
0006323257.tif 000005
【図４】
0006323257.tif 000006
【図５】
0006323257.tif 000007
【図６】
0006323257.tif 000008
【図７】
0006323257.tif 000009
【図８】
0006323257.tif 000010
【図９】
0006323257.tif 000011
【図１０】
0006323257.tif 000012
【図１１】
0006323257.tif 000013
【図１２】
0006323257.tif 000014
【図１３】
0006323257.tif 000015